【手続補正書】
【提出日】平成23年1月6日(2011.1.6)
【手続補正１】
【補正対象書類名】特許請求の範囲
【補正対象項目名】全文
【補正方法】変更
【補正の内容】
【特許請求の範囲】
【請求項１】
複合材料コンポーネントの作製方法であって、
ブランクファブリックシートを供給するステップ、
ファブリックシートで第１パネルを形成するステップ、
第１パネルに隣接し、且つ第１パネルから取り外し可能に区別される第２パネルをファブリックシートで形成し、第１パネル対を形成するステップ、及び
第１パネル対に隣接し、且つタブによって第１パネル対から取り外し可能に分離される第２パネル対を形成するステップ
を含む方法。
【請求項２】
互いから取り外し可能に区別される二つの隣接する三角形部分を有するタブを形成するステップ
をさらに含む、請求項１に記載の方法。
【請求項３】
各々がタブによって分離される追加のパネル対を形成するステップ
をさらに含む、請求項１に記載の方法。
【請求項４】
第１パネル対に対して４５度の角度に方向付けられるように第２パネル対を形成するステップ
をさらに含む、請求項１に記載の方法。
【請求項５】
パネル対の一つに隣接し、且つタブによって当該パネル対の一つから取り外し可能に分離される切手状部分を形成するステップ
をさらに含む、請求項３に記載の方法。
【請求項６】
ファブリックシートの端部に切手状部分を形成するステップ
をさらに含む、請求項４に記載の方法。
【請求項７】
折り畳み線によって取り外し可能に接続されて一つのパネル対を形成する少なくとも二つのパネルと、タブによって取り外し可能に接続された複数のパネル対とを備える、複合材料コンポーネントシステム。
【請求項８】
複合材料コンポーネントの折り畳み方法であって、
マークを有する第１パネル対の第１パネルを識別するステップ、
前記マークされた第１パネルの下に前記第１パネル対の第２パネルを折り畳むステップ、
前記折り畳まれた第１パネル対の外側の、前記折り畳まれた第１パネル対に隣接するタブを折り畳むステップ、及び
前記タブに隣接する追加のパネルを、前記折り畳まれた第１パネル対の下に折り畳むステップ
を含む方法。
【請求項９】
少なくとも二つのパネルを折り畳み線によって取り外し可能に接続することにより、一つのパネル対を形成すること、及び
複数のパネル対をタブにより取り外し可能に接続すること
を含むステップにより形成される複合材料コンポーネントシステム。
【手続補正２】
【補正対象書類名】明細書
【補正対象項目名】００２０
【補正方法】変更
【補正の内容】
【００２０】
本発明による方法は、好ましくは、所与のフィラーのために製造することが必要な、個々のパーツの半分以上を排除する。必要なパーツの容積は製造及び取り付け可能であるが、個別のパーツとしてではなく、一つのキットに接続された状態で製造され、取り付けられる。本発明による方法の使用はさらに、本方法が全てのパーツを個々に識別し、複数回に亘って取り扱い、そして複数回に亘って保存する必要を排除するという点で、フィラーを形成する個々のパーツを製造するのに必要な時間を短縮し、また、個々の要素の紛失又は損傷の危険を低減する。個々のパネルの各々を切り出す必要がないことが望ましいので、これは時間の節約という改善をもたらし、よって、場合によっては、パネルを形成するために使用される材料が増大する可能性があるものの、必要とされるたびに各パネルを個別に準備する及び／又は見つける必要がないという点で、好ましくは、材料費を凌駕する。
本発明及びその利点について詳細に説明したが、請求の範囲に規定される本発明の理念及び範囲から逸脱することなく、様々な変更、置換及び修正を加えることができる。さらに、本出願の範囲は、本明細書に記載の工程、機械、製造、組成物、手段、方法及びステップの特定の実施形態に制限されるものではない。当業者であれば、本発明の開示内容から、既存しているか、又は未来に開発されるかに関わらず、ここに開示した実施形態に相当するものと、実質的に同じ機能を有するか、又は実質的に同じ結果を達成する工程、機械、製造、組成物、手段、方法、又はステップが、本発明により利用できることが分かるであろう。従って、請求の範囲内には、そのような工程、機械、製造、組成物、手段、方法、又はステップが含まれる。
また、本発明は以下に記載する態様を含む。
（態様１）
複合材料コンポーネントの作製方法であって、
ブランクファブリックシートを供給するステップ、
ファブリックシートで第１パネルを形成するステップ、
第１パネルに隣接し、且つ第１パネルから取り外し可能に区別される第２パネルをファブリックシートで形成し、第１パネル対を形成するステップ、及び
第１パネル対に隣接し、且つタブによって第１パネル対から取り外し可能に分離される第２パネル対を形成するステップ
を含む方法。
（態様２）
互いから取り外し可能に区別される二つの隣接する三角形部分を有するタブを形成するステップ
をさらに含む、態様１に記載の方法。
（態様３）
各々がタブによって分離される追加のパネル対を形成するステップ
をさらに含む、態様１に記載の方法。
（態様４）
第１パネル対に対して４５度の角度に方向付けられるように第２パネル対を形成するステップ
をさらに含む、態様１に記載の方法。
（態様５）
パネル対の一つに隣接し、且つタブによって当該パネル対の一つから取り外し可能に分離される切手状部分を形成するステップ
をさらに含む、態様３に記載の方法。
（態様６）
ファブリックシートの端部に切手状部分を形成するステップ
をさらに含む、態様４に記載の方法。
（態様７）
折り畳み線によって取り外し可能に接続されて一つのパネル対を形成する少なくとも二つのパネルと、タブによって取り外し可能に接続された複数のパネル対とを備える、複合材料コンポーネントシステム。
（態様８）
互いから取り外し可能に区別された隣接する二つの三角形部分を有するタブをさらに備える、態様７に記載の複合材料コンポーネントシステム。
（態様９）
タブによってパネルから取り外し可能に分離される切手状部分をさらに備える、態様７に記載の複合材料コンポーネントシステム。
（態様１０）
互いから取り外し可能に区別された隣接する二つの三角形部分を有するタブにより、パネルから取り外し可能に分離される切手状部分をさらに備える、態様７に記載の複合材料コンポーネントシステム。
（態様１１）
前記複合材料コンポーネントシステムの端部においてタブによりパネルから取り外し可能に分離される切手状部分をさらに備える、態様７に記載の複合材料コンポーネントシステム。
（態様１２）
各々がタブにより分離される追加のパネル対をさらに備える、態様７に記載の複合材料コンポーネントシステム。
（態様１３）
第２パネル対が第１パネル対に対して４５度の角度に方向付けられている、態様７に記載の複合材料コンポーネントシステム。
（態様１４）
複合材料コンポーネントの折り畳み方法であって、
マークを有する第１パネル対の第１パネルを識別するステップ、
前記マークされた第１パネルの下に前記第１パネル対の第２パネルを折り畳むステップ、
前記折り畳まれた第１パネル対の外側の、前記折り畳まれた第１パネル対に隣接するタブを折り畳むステップ、及び
前記タブに隣接する追加のパネルを、前記折り畳まれた第１パネル対の下に折り畳むステップ
を含む方法。
（態様１５）
前記複合材料コンポーネントが追加のパネルとタブとを備えており、
前記複合材料コンポーネント中の最後のパネルに到達するまで、前記追加のパネルとタブとをスタックに折り畳むステップ
をさらに含む、態様１４に記載の方法。
（態様１６）
前記パネルのスタックから前記タブを分離するステップ
をさらに含む、態様１５に記載の方法。
（態様１７）
前記パネルのスタックを、マークを有する前記第１パネル対の第１パネルが見えるように配置するステップ
をさらに含む、態様１６に記載の方法。
（態様１８）
少なくとも二つのパネルを折り畳み線によって取り外し可能に接続することにより、一つのパネル対を形成すること、及び
複数のパネル対をタブにより取り外し可能に接続すること
を含むステップにより形成される複合材料コンポーネントシステム。
（態様１９）
互いから取り外し可能に区別された隣接する二つの三角形部分を有するタブにより、前記パネル対のうちの一つのパネルから取り外し可能に分離された切手状部分を含めること
をさらに含む態様１８に記載のステップにより形成される、複合材料コンポーネントシステム。
（態様２０）
前記複合材料コンポーネントシステムの端部において、タブにより一のパネルに切手状部分を取り外し可能に接続すること
をさらに含む態様１８に記載のステップにより形成される、複合材料コンポーネントシステム。